(57)【特許請求の範囲】
【請求項１】
全体の又はクエン酸塩加もしくは同等に安定化された血液又は血漿より選択される体液の血液凝固能が評価される血液学的アッセイであって、
（i）（ａ）既定量のＸａ因子又は血液学的に等価なその変異体と、
（ｂ）既定量のＶａ因子、血液学的に等価なその変異体、又は内因性Ｖ因子を活性化する酵素と
を含有するアクチベーター試薬を、該体液の試料に反応させる工程；
（ii）必要であれば、１種以上の凝固促進剤の添加により凝固を誘導する工程；及び
（iii）（ａ）凝固促進剤の有無にかかわらず該試薬の該試料への添加から凝血の開始までの時間、
（ｂ）凝固促進剤の有無にかかわらず該試薬の該試料への添加から遊離トロンビン活性の検出までの時間、
（ｃ）トロンビン活性、及び
（ｄ）Ｘａ因子活性：
のうちの一つを検出することを含む凝固能の指標となる値を確定する工程であって、凝固促進剤の有無にかかわらず該試薬の該試料への添加から凝血の開始までの時間を、光学的凝固計を使用して測定する工程
を含む、血液学的アッセイ。
【請求項２】
凝固中にトロンビン活性又はＸａ因子活性の測定に特異的な機械的、磁気的、又は電気的な挙動を示す粒子である検出可能な値を提供する分析補助剤を処理された試料へ添加すること、及び適切な挙動を検出することにより、凝固能の指標となる値が確定される、請求項１に記載のアッセイ。
【請求項３】
クエン酸塩加の血小板欠乏血漿の血液凝固能が評価される血液学的アッセイであって、
（ｉ）２５mMのトリス／ＨＣｌと、０．４５％w／vのＮａＣｌと、０．２５％w／vのアルブミンと、１２．５mMのＣａＣｌ2とを含有するpH７．４の水性緩衝溶液中に、
（ａ）０．２nkat／mlのＸａ因子と、
（ｂ）２U／mlのＲＶＶ−Ｖと、
（ｃ）２５μg／mlのウサギ脳セファリン由来リン脂質と
を含有するアクチベーター試薬を調製する工程；
（ii）クエン酸塩加の血小板欠乏血漿５０μlを、アクチベーター試薬１００μlと混合する工程；
（iii）場合により、検出可能な値を提供する分析補助剤を添加する工程；及び
（iv）凝固能の指標となる値を確定する工程
を含む、血液学的アッセイ。
【請求項４】
光学的凝固計を使用して、ＣａＣｌ2の添加から凝血の開始までの時間を測定することにより、凝固能の指標となる値が確定される、請求項３に記載のアッセイ。
【請求項５】
さらに
（ｉ）１０〜２００mMのトリス／ＨＣｌと、０．６〜１．２％w／vのＮａＣｌと、０．０１〜１．０％w／vのアルブミンとを含有する水性緩衝溶液中に、
（ａ）０．０１〜１０nkat／mlの既定量のＸａ因子と、
（ｂ）０．０５〜１０U／mlの既定量のＲＶＶ−Ｖと、
（ｃ）場合により、１〜２００μg／mlの既定量のリン脂質と
を含有するアクチベーター試薬を調製する工程；
（ii）１〜１００μlの既定量のクエン酸塩加又は同等に安定化された血小板欠乏血漿である試料を、１〜１００μlの既定量のアクチベーター試薬と混合する工程；
（iii）混合物をインキュベートする工程；
（iv）１０〜１００μlの既定量の２〜２００mMのＣａＣｌ２を添加する工程；
（ｖ）場合により、検出可能な値を提供する分析補助剤を添加する工程；及び
（vi）凝固能の指標となる値を確定する工程
を含む、請求項１に記載のアッセイ。
【請求項６】
（ｉ）５０mMのトリス／ＨＣｌと、０．９％w／vのＮａＣｌと、０．５％w／vのアルブミンとを含有するpH７．４の水性緩衝溶液中に、
（ａ）０．４nkat／mlのＸａ因子と、
（ｂ）４U／mlのＲＶＶ−Ｖと、
（ｃ）５０μg／mlのウサギ脳セファリン由来リン脂質と
を含有するアクチベーター試薬を調製する工程；
（ii）クエン酸塩加の血小板欠乏血漿５０μlをアクチベーター試薬５０μlと混合する工程；
（iii）混合物を３７℃で３分間インキュベートする工程；
（iv）２５mMのＣａＣｌ２  ５０μlを添加する工程；
（ｖ）場合により、検出可能な値を提供する分析補助剤を添加する工程；及び
（vi）凝固能の指標となる値を確定する工程
を含む、請求項５に記載のアッセイ。
【請求項７】
工程（iii）を省略する、請求項５又は６に記載のアッセイ。
【請求項８】
光学的凝固計を使用して、ＣａＣｌ2の添加から凝血の開始までの時間を測定することにより、凝固能の指標となる値が確定される、請求項５、６、又は７に記載のアッセイ。
【請求項９】
既定量のヒト体液を含む試料の中の血液凝固成分又は処置添加剤の測定方法であって、該試料の凝固能を、正常体液の比較可能な試料の凝固能、ならびに／あるいは該成分もしくは添加剤を欠いているか、又は既知の過剰量の該成分もしくは添加剤を含有するヒト体液の比較可能な試料の凝固能と比較することを含み、ここで、該凝固能が請求項５、６、又は７に記載のアッセイで評価される、方法。
【請求項１０】
光学的凝固計を使用して、ＣａＣｌ2の添加から凝血の開始までの時間を測定することにより、凝固能の指標となる値が確定される、請求項９に記載の方法。
【請求項１１】
血漿又は全血の試料の中の推測される凝固性又は抗凝固性の成分の存在及び／又は濃度を評価するために利用される、全体の又はクエン酸塩加もしくは同等に安定化された血液又は血漿より選択される体液の血液凝固能が評価される血液学的アッセイであって、
（ｉ）（ａ）既定量のＸａ因子又は血液学的に等価なその変異体と、
（ｂ）既定量のＶａ因子、血液学的に等価なその変異体、又は内因性Ｖ因子を活性化する酵素と
を含有するアクチベーター試薬を、体液の試料に反応させる工程；
（ii）必要であれば、１種以上の凝固促進剤の添加により凝固を誘導する工程；及び
（iii）凝固能の指標となる値を確定する工程
を含み、ここで、該試料が、該試料中での存在が推測される凝固性又は抗凝固性の成分のみが枯渇している血漿で希釈され、また確定された凝固能の指標となる値が、枯渇血漿及び／又は正常血漿の値と比較される、血液学的アッセイ。
【請求項１２】
マトリックス効果の影響を減少させるため、試料が、正常血漿、血漿画分、又は１種以上の単一凝固因子で希釈される、請求項１１に記載のアッセイ。
【請求項１３】
試料が、非ヘパリン抗凝固剤に対する特異性を増強するため、ヘパリン又はヘパリン様物質を不活化する物質で処理される、請求項１１に記載のアッセイ。
【請求項１４】
既定量のヒト体液を含む試料の中の血液凝固成分又は処置添加剤の測定方法であって、該試料の凝固能を、正常体液の比較可能な試料の凝固能、ならびに／あるいは該成分もしくは添加剤を欠いているか、又は既知の過剰量の該成分もしくは添加剤を含有するヒト体液の比較可能な試料の凝固能と比較することを含み、ここで、該凝固能が請求項１１、１２、又は１３に記載のアッセイで評価される、方法。
【請求項１５】
凝固性又は抗凝固性の効果を有することを示す薬剤で処置された患者の状態のモニタリングのための方法であって、請求項１１に記載の工程（ｉ）、（ii）及び（iii）を含むアッセイにより、患者由来の既知の量の体液を含有する試料の血液凝固能が評価されることを含み、ここで、抗凝固性の効果を有することを示す薬剤が、Ｘａ因子及び／又はトロンビンの天然又は合成の阻害剤より選択される抗凝固剤を含有する、方法。
【請求項１６】
抗凝固性の効果を有することを示す薬剤が、未分画ヘパリン（ＵＦＨ）、低分子量ヘパリン（ＬＭＷＨ）、ヘパリノイド、デルマタン硫酸、アルガトロバン、修飾型ヒルジン、及びヒルジンより選択される抗凝固剤を含有する、請求項１５に記載の方法。
【請求項１７】
凝固性又は抗凝固性の効果を有することを示す薬剤が１種以上の血液凝固成分に対する抗体を含有する、請求項１５に記載の方法。
【発明の詳細な説明】
【０００１】
背景
本発明は、一般的に凝固カスケードとして既知の、極めて複雑な一連の相互作用を含む、Williams and Wilkins出版のThrombosis and Hemorrhage,Sec.Ed.,1998に充分に記載されている血液凝固の過程に関する。それは、凝固へと向かう一連の連続的なタンパク質分解作用、及び凝固の終結又は阻害と関連した相補的な一連の阻害作用を含む。本発明をよりよく理解するため、図１は、血液凝固カスケードの一部を示している。凝固の活性化は、異なる経路に沿って起こるが、そのうちの２つ、内因系経路及び外因系経路が図示されている。これらは、収束し、血餅形成へと至る共通の経路を形成する。凝固因子は、不活型チモーゲン又は不活型補因子であり、活性プロテアーゼにより分解された場合に、活性化され（下付の「ａ」により示される）、次いで、カスケード内の次のチモーゲン又は補因子の前駆体を活性化する。
【０００２】
外因系経路においては、傷害を受けた組織が組織因子を露出させ、組織因子がＶＩＩ因子を活性型ＶＩＩａへと活性化する。組織因子及びＶＩＩａ因子が、複合体を形成し、共通経路においてＸ因子を活性化する。
【０００３】
内因系経路においては、負の電荷を有する表面が、血流中のＸＩＩ因子及びプレカリクレインの作用に曝される。ＸＩＩ因子がＸＩＩａ因子へと活性化され、それがＸＩ因子をＸＩａ因子へと活性化する。ＸＩａ因子は、ＩＸ因子をＩＸａ因子へと活性化する。Ｘ因子を活性化するテナーゼ複合体の形成には、ＩＸａ因子、ＶＩＩＩａ因子、リン脂質、及び遊離カルシウムイオンが必要である。
プロトロンビンをトロンビンへと活性化するプロトロンビナーゼ複合体の形成には、Ｘａ因子、Ｖａ因子、リン脂質、及び遊離カルシウムイオンが必要であり、本発明は、より具体的にはこのプロトロンビナーゼ複合体に関する。
【０００４】
トロンビンは、凝固の「キー酵素」であり、多くの正及び負のフィードバック作用と関連しており、血液の凝血過程そのものとも関連している。正のフィードバックには、Ｖ因子、ＶＩＩＩ因子、及びＸＩ因子の活性化が含まれる。負のフィードバックには、トロンボモジュリンの存在下でのプロテインＣの活性化が含まれる。凝血過程には、フィブリノーゲンのフィブリンへの分解及び血小板の活性化が含まれる。
【０００５】
多数の内因性阻害性相互作用が重要であり、イタリック体及び破線で図中に示されている。従って、ヘパリン、ヘパリノイド、及びグリコサミノグリカンにより活性が大きく増強される比較的広域スペクトルの阻害剤、アンチトロンビンは、Ｘａ因子、トロンビン、ＸＩａ因子、及びＸＩＩａ因子を阻害する。ヘパリンコファクターＩＩは、トロンビンと結合する比較的特異的な内因性阻害剤であり、その活性もヘパリンによって促進され、さらにデルマタン硫酸によっても促進される。活性化されたプロテインＣは、ＶＩＩＩａ因子及びＶａ因子を不活化する。外因系凝固インヒビター（tissue factor pathway inhibitor）（ＴＦＰＩ）は、Ｘａ因子及びＸａ因子依存的に組織因子／ＶＩＩａ因子複合体を阻害する。
【０００６】
凝固系の生理学的機能には、活性化因子と阻害因子との適切な平衡が必要である。ある種の状況、例えば血友病又はループスにおいては、必須因子が欠損しているか、又は凝固系を妨害する材料（抗凝固剤）が存在する。
【０００７】
動物起源の物質も、凝固因子を妨害する場合がある。例えば、医用ヒルの唾液腺由来のタンパク質であるヒルジンは、極めて強力なトロンビン阻害剤である。ヘビ毒由来のタンパク質は、ある種の因子を刺激し、凝固及び凝血をもたらしうる。特に、いくつかのヘビ毒は、Ｘ因子及び／又はＶ因子を活性化し、抗凝固剤に関するin vitroアッセイにおいて使用されうる。
【０００８】
プロトロンビナーゼ複合体及びテナーゼ複合体の形成の、遊離カルシウムイオンの存在に対する依存は、例えばクエン酸塩（又は、その他のイオン性複合体化剤）による、血液試料の一時的な抗凝固を可能にする。これは、凝血を伴わない試料の輸送及び遠心分離を可能にし、該複合体の形成を伴わない、ある種の分析反応の実行も可能にする。
【０００９】
その後のリン脂質存在下でのカルシウムイオンの添加は、プロトロンビンからトロンビンへの活性化を即座に刺激しうる。
【００１０】
凝固性（出血性合併症の場合）又は抗凝固性（血栓性合併症の予防もしくは治療、及び血液を人工材料と接触させる介入、例えば体外血液循環）の効果を有する物質により血液を処理することが必要である場合は多い。
【００１１】
ワルファリン又はその他のクマリン由来経口抗凝固剤のようなビタミンＫアンタゴニストにより、長期的な抗凝固を成功させることが可能である。これらの物質は、ある種の凝固因子の形成を妨害することにより、血液の凝固活性の減損をもたらす。しかしながら、それらは既に形成された凝固因子は阻害しないため、安定な抗凝固が達成されるまでには数日を要する。多くの状況においては、迅速な抗凝固が必要である。患者における抗凝固を遂げるための一つの戦法は、活性化された凝固因子の直接的又は間接的な阻害である。ある種の因子の阻害は、血漿由来のアンチトロンビン及び／又はヘパリンコファクターＩＩを必要とするヘパリン及びヘパリノイド、並びにＩＩａ因子（トロンビン）及びＸａの直接的な天然又は合成の阻害剤（例えば、ヒルジン、アルガトロバン、マダニ抗凝固剤）を使用して達成されうる。これらの物質は全て、主に、活性化されたＸ因子（ＦＸａ）及び／又はトロンビンを標的とする。過度に高い抗凝固も、不十分に低い抗凝固も、臓器組織の欠損、又は患者の死すら引き起こし得るため、適切な強度の抗凝固を使用することが重要である。
【００１２】
いくつかの抗凝固薬、例えば未分画ヘパリン（ＵＦＨ）は、高度に可変性の薬力学を有しており、それらの使用は、処置された患者からの血漿をアッセイすることによる患者の状態のモニタリングを必要とし、必要な場合には、個々の抗凝固剤の投与量の適合化を必要とする。
【００１３】
低分子量ヘパリン（ＬＭＷＨ）の使用のようないくつかの抗凝固戦法は、通常、薬力学の可変性が比較的低いため、抗凝固効果のモニタリングをルーチンには必要としない。グリコサミノグリカンヘパリン鎖の一部のみを含有するＬＭＷＨは、ＵＦＨよりも活性が低く、その使用は比較的安全であると見なされる場合が多い。例えば、抗凝固剤処置下での出血性合併症がある場合、（例えば、腎機能不全による）薬物クリアランスの減損が推測されるか、もしくは明白である場合、（例えば、小児もしくは強度に肥満の患者における）異常な薬力学がある場合、又は過小投与量もしくは過剰投与量が推測されるか、もしくは可能性がある場合のように、ＬＭＷＨにも、薬物効果の実験的判定が必須である場合はある。凝固の延長は、試料中の抗凝固剤の濃度に依存する。
【００１４】
欧州薬局方委員会（European Pharmacopeial Commission）は、標準的な抗Ｘａ因子活性（ａＸａ）に関するＬＭＷＨの効力評価を採用している。
【００１５】
公知の凝固アッセイ
活性化された凝固因子の直接的又は間接的な阻害剤の、凝固に対する効果及び／又は血液もしくは血漿中の濃度を測定するための方法には、
（ａ）色素原性基質分析を使用した凝固因子（例えば、ＦＩＩａ及びＦＸａ）の阻害の判定、並びに
（ｂ）いわゆる「凝血法」、例えばａＰＴＴアッセイ（活性化部分トロンポプラスチン時間（activated partial thromboplastin time））、ＡＣＴアッセイ（活性化凝血時間（activated clotting time））、ＴＴアッセイ（トロンビン時間）、ＥＣＴアッセイ（エカリン（ecarin）凝血時間）、及びHeptest（登録商標）アッセイが含まれる。凝血法は、凝固が異なるプログラムにより活性化されるという事実、及び凝固活性化から試料中の凝血の検出が測定されるまでの時間により特徴付けられる。凝血時間は、適切な較正試薬を用いて較正曲線を確立することにより、直接的な濃度単位へと変換されうる。
【００１６】
色素原性基質を使用した抗Ｘａ因子及び抗ＩＩａ因子の分析
通常、既定量のＩＩａ因子又はＸａ因子を含有する試薬に、血漿試料が添加される（ある種のアッセイにおいては、アンチトロンビンも添加される）。インキュベーション期間中、Ｘａ／ＩＩａ因子が、抗凝固剤そのものにより、又は抗凝固剤と内因性もしくは外因性のアンチトロンビンとの複合体により、部分的に不活化される。色素原性基質が、添加され、残存Ｘａ／ＩＩａ因子により分解されて光学的濃度を増強し、それが光学的に検出される。較正曲線を使用して、Ｘａ／ＩＩａ因子活性又は抗凝固剤濃度が計算される。
【００１７】
これらの方法は、抗凝固剤濃度の特異的な判定を可能にする。しかしながら、それらは、比較的高コストであり、専門の装置を必要とし、従って臨床実務において広く適用されてはいない。さらに、抗凝固剤と患者の凝固系との相互作用は判定されず、in vivoの状況は直接的には反映されない。
【００１８】
ａＰＴＴアッセイ
血液又は（通常）血漿試料が、接触アクチベーター（しばしば、エラグ酸、セライト、又はカオリンのような負の電荷を有する表面を有する物質）及びリン脂質を含有する試薬に添加され、カルシウムイオンの非存在下で２〜１０分間インキュベートされる。Ｃａ2+の試料への添加から、フィブリン形成までの記録された時間が、活性化部分トロンボプラスチン時間（ａＰＴＴ）である。
【００１９】
ａＰＴＴアッセイは、広く利用可能な試験であり、凝血法が単純で、抗凝固療法のモニタリングのための大きな経験基礎が存在するという利点を有する。ａＰＴＴは比較的乏しく標準化されている方法であるにも関わらず、未分画ヘパリン（ＵＦＨ）のモニタリングに頻繁に利用されているが、ＬＭＷＨは、乏しい応答性のため、このアッセイではモニターされ得ない。ＬＭＷＨに対する低い感度に加え、アッセイは、ヒルジンのような直接的なトロンビン阻害剤との非直線的な用量応答関係、ＵＦＨに対する過剰に高い感度、異なる装置、試薬間、同一試薬ですら異なるロット間の乏しい標準化という欠点を有する。ヘパリンに関する用量応答曲線も、直線的ではない。
【００２０】
ａＰＴＴアッセイのメカニズムに関して、接触活性化による凝固（いわゆる、接触相）の開始は、体内での生理学的な止血経路の一部ではないことに言及しなければならない。接触相は、標準化が困難であり、それが、アッセイの極めて乏しい標準化の理由の一つである。ａＰＴＴアッセイにおける凝固活性化には、多くの因子が参与しており（ＸＩＩ、ＸＩ、ＶＩＩＩ、ＩＸ、Ｘ、Ｖ、ＩＩ）、Ｘ因子及びＩＩ因子の阻害は、ヘパリン、ヘパリノイド、及び直接的阻害剤を使用した抗凝固療法の主要経路であると考えられている。これらの理由から、ａＰＴＴアッセイは、患者において達成された抗凝固の極めて現実的な推定を与えることもないし、抗凝固剤処置に対する適切な特異性をもって抗凝固を判定することもない。さらに、アッセイは、ループス性抗凝固因子の存在に対する感度も有する。
【００２１】
ＥＣＴアッセイ
エカリン凝血時間アッセイは、直接的な抗トロンビン剤の効果のモニタリングに使用される、血餅に基づくアッセイである。エチスカリナツス（Echis carinatus）というヘビの毒から得られる精製されたプロテアーゼであるエカリンは、クエン酸塩加の全血及び血漿において、プロトロンビンをメイゾトロンビン（meizothrombin）（トロンビンの前駆体）へと変換し、凝血終点を生じる。ヒルジンのような抗トロンビン剤は、メイゾトロンビンと結合し、エカリン凝血時間を延長させる。ＥＣＴアッセイは、試料血漿の低いプロトロンビンレベルにより高度に影響を受ける。
【００２２】
ＡＣＴアッセイ
この方法は、原則として、カオリン又はセライトへの血液の添加、及び試料中のフィブリン形成までの時間の測定からなる。この方法は、広く利用可能である。それは、心臓血管手術中の高用量ヘパリン処置のモニタリングを可能にする、短い所要時間及び広い測定域を有するポイントオブケア法（point-of-care）である。
【００２３】
ＡＣＴアッセイは、多くの限界を有する。それは、（色素原性基質分析により判定されるような）抗凝固剤濃度との乏しい相関、比較的低いヘパリン濃度（通常のＡＣＴでは０．７U  ＵＦＨ／mlまで）に対する低い感度、ＬＭＷＨに対する低い感度、長い凝血時間、及び患者の凝固因子に対する極めて強い依存性を有する。臨床的に適用されている異なるＡＣＴ法の乏しい標準化が存在する。
【００２４】
トロンビン時間アッセイ
本方法は、ある量のトロンビンの血漿試料への添加、及び凝血が検出されるまでの時間の判定からなる。本方法は、トロンビン阻害を特異的に判定するという利点を有する。この単純な試験は、血漿中の抗トロンビン活性に関する直接的な測定であるが、乏しい信頼性及び粗悪な標準化のため広く使用されてはいない。さらに、Ｘａ因子阻害の判定は不可能である。狭い測定域は、添加されるトロンビン濃度に強く依存しており、トロンビン濃度、人種、カルシウムの存在、及びトロンビンと試料との容量比に応答して異なる結果が得られうる。
【００２５】
Ｙｉｎによるヘパリンアッセイ（１９７３年に提唱）
本アッセイは、原則として、クエン酸塩加血漿試料のウシＸａ因子とのインキュベーションに基づく。ある程度のインキュベーション期間の後、リン脂質及びウシ血漿を含有する試薬が添加され、続いて、再石灰化のため塩化カルシウム溶液が添加される。
【００２６】
この試験は、凝血法によるＬＭＷＨ及びＵＦＨの高感度の判定を可能にする。しかしながら、それは、比較的複雑な三段階法であり、ウシ血漿を必要とする（これは、抗凝固剤の効果の現実的な推定を制限する可能性がある）。
【００２７】
Heptest（登録商標）アッセイ（Ｙｉｎアッセイの変法（１９８７年に提唱）
米国特許第４，９４６，７７５号に記載されているこのアッセイは、原則として、血漿又は血液の試料のＸａ因子とのインキュベーションからなる。ある程度のインキュベーション期間の後、塩化カルシウム、リン脂質、及びウシ血漿画分を含有する試薬が添加され、凝血の検出までの時間が記録される。ウシ血漿画分は、Ｖ因子及びフィブリノーゲンに富むことが製造業者により報告されているが、プロトロンビン及びその他の凝固因子は枯渇しており、従って、単独では凝血しない。
【００２８】
Ｙｉｎの原型アッセイと同様に、本方法は、比較的単純な凝血アッセイにおける、ＬＭＷＨ及びＵＦＨの高感度の判定を提供する。しかしながら、Heptest（登録商標）は、ヒルジンのような直接的なトロンビン阻害剤に対する低い感度を有し、ウシ血漿画分の高い標準化が必須であり、ウシ血漿画分の患者の凝固系への影響が、完全に解明されておらず、後述のように、光学シグナルが決定的でないため、光学的分析機におけるその性能は問題となりうる。Heptest（登録商標）は、単純な方法であるが、極めて広くは使用されていない。
【００２９】
ヘパリンの化学及び薬理学、並びに前述のようなアッセイは、Thrombosis and Hemorrhage（前掲）、及びKandrotas,R.J.,Heparin Pharmokinetics and Pharmacodynamics,Clin.Pharmacokinet.,第22巻,1992,359-374頁に記載されている。
【００３０】
大部分の既知のアッセイが、液状試薬を使用して実施されるが、試薬が乾燥状態で維持される系も、一般的にはポイントオブケア適用のため、開発されている。そのような系の例は、米国特許第４７５６８８４号、第４８６１７１２号、第５０５９５２５号、第５１１０７２７号、及び第５３００７７９号、並びにＥＰ−Ａ−６８０７２７に記載されている。
【００３１】
本発明は、多様な抗凝固剤、特にＬＭＷＨ、ＵＦＨ、ヘパリノイド、デルマタン硫酸、天然又は合成のＸａ因子の阻害剤、及びアルガトロバン又はヒルジンのようなＩＩａ因子の阻害剤のモニタリングを包含するための、高感度であり、かつ感度が調整可能であり、好ましい実施態様においては、光学的凝固計と共に使用された場合、安定な基線を提供する、単純で信頼性の高い血液学的アッセイを提供することを目的とする。本発明は、後述のように、抗凝固剤処置のモニタリングに加え、多くの用途を有する。
【００３２】
以後、以下の定義が使用される。
【００３３】
血液凝固能
一般的に述べると、血液凝固能とは、患者の血液が凝固する能力、又はより具体的には凝固因子を活性化又は阻害する能力を表す。これは、便宜上、本明細書において、試料、例えばヒトの全血もしくは血漿、又は他の哺乳動物の全血もしくは血漿を含有する体液の、トロンビン形成もしくは凝血の点へと凝固する能力の、正常値もしくは標準との比較、又はそれらとの比率によって与えられる値と定義される。その値は、例えば、リン脂質及びカルシウムイオンのような１個以上の凝固促進剤の試料への添加による、凝固の誘導から要した時間によって測定されうる。しかしながら、凝固能の指標となる値は、間接的に測定された値、例えば添加された分析補助剤、例えば色素原性基質からの指標値であってもよい（又は、それより推定されてもよい）。これは、例えば、（プロトロンビンをトロンビンへと活性化する）Ｘａ因子のような成分の活性、又はトロンビンの活性に関する値を与えうる。
【００３４】
凝固促進剤
これは、トロンビン形成の速度を大きく速める材料もしくは物質又はそれらの混合物と定義される。それは、好ましくは、プロトロンビナーゼ複合体を確立するために必要な物質群を完成させる物質である。従って、完全に集合したプロトロンビナーゼ複合体は、単独で作用するＸａ因子よりも３００，０００倍効率的な速度でトロンビン形成を触媒する。Ｖａ因子及びＸａ因子に加え、プロトロンビナーゼ複合体は、リン脂質（又は血小板）及びカルシウムイオン（他のイオンも代用されうる）の存在を必要とする。
【００３５】
分析補助剤
これは、便利に観察可能又は検出可能な活性の提供を可能にするため、処理の前、又は通常は後に、反応系、例えば試料へと添加される薬剤と定義される。一般に使用される補助剤は、色素原性基質、例えば、基質が例えばＸａ因子及び／又はトロンビンの作用を受けた際に放出される特有の呈色基を有するペプチドである。そのような薬剤は、Ｘａ因子活性の検出又はトロンビン形成の検出のいずれかに特異的に設計されうる。ペプチド基質の使用は、Witt,Irene,Test Sstems with Synthetic Peptide Substrates in Haemostaseology,Eur.J.Clin.Chem.Clin.Biochem.,第29巻,1991,355-374頁において論じられている。
【００３６】
発明の概要
第１の面によると、本発明は、
（ａ）既定量のＸａ因子又は血液学的に等価なその変異体と、
（ｂ）既定量のＶａ因子、血液学的に等価なその変異体、又は内因性Ｖ因子を活性化する酵素とを組み合わせて含む、血液凝固アッセイにおいて使用するためのアクチベーター試薬を提供する。
【００３７】
成分は、水性溶液、好ましくは水性緩衝溶液中に組み合わされて存在しうる。pHは、広い範囲、例えば６〜１０、好ましくは６〜９、より好ましくは７〜８にわたり変動しうるが、最適には７．４である。
【００３８】
特に、ある種のポイントオブケア系においては、成分（ａ）及び（ｂ）は、フリース又はチャンバーの表面のような支持マトリックスの中もしくはその上に、又は異なるマトリックスの中に、乾燥状態（好ましくは、凍結乾燥状態）で存在してもよい。成分は、通常、分析すべき血液又は血漿又はその他の体液の試料の適用時に、溶液へと再投入されるであろう。
【００３９】
アクチベーター試薬は、試料が血漿である場合には特に、既定量のリン脂質を含有していてもよい。
【００４０】
アクチベーター試薬において使用される成分（ａ）及び（ｂ）は、好ましくは、活性型であるか否かに関わらず因子及び補因子のような他の血液成分を実質的に含まない、精製された形態であるが、それは、そのような不純物が、得られる結果及び／又は利用される試験系の安定性に影響を与える可能性があるためである。
【００４１】
好ましくは、（ｂ）は、Ｖ因子アクチベーターを含有し、かつＸ因子活性化成分は枯渇しているヘビ毒から本質的になる。最も好ましくは、（ｂ）は、精製されたラッセルクサリヘビ毒（Russell's Viper Venom）に由来するＶ因子アクチベーター（ＲＶＶ−Ｖ）から本質的になる。
【００４２】
アクチベーター試薬は、
１０〜１００mMのトリス／ＨＣｌと、０．６〜１．２％w／vのＮａＣｌと、０．１〜１％w／vのアルブミンとを含有する水性緩衝溶液中の、０．０１〜１０nkat／mlの既定量のＸａ因子と、０．０５〜１０（好ましくは、５）U／mlの既定量のＲＶＶ−Ｖと、（場合により）１〜２００μg／mlの既定量のリン脂質とから本質的になりうる。
【００４３】
好ましいアクチベーター試薬は、５０mMのトリス／ＨＣｌと、０．９％w／vのＮａＣｌと、０．５％w／vのアルブミンとを含有するpH７．４の水性緩衝溶液中の、０．４nkat／mlのＸａ因子と、４U／mlのＲＶＶ−Ｖと、５０μg／mlのウサギ脳セファリン由来リン脂質とから本質的になる。
【００４４】
もう一つの好ましいアクチベーター試薬は、２５mMのトリス／ＨＣｌと、０．４５％w／vのＮａＣｌと、０．２５％w／vのアルブミンと、１２．５mMのＣａＣｌ2とを含有するpH７．４の水性緩衝溶液中の、０．２nkat／mlのＸａ因子と、２U／mlのＲＶＶ−Ｖと、２５μg／mlのウサギ脳セファリン由来リン脂質とから本質的になる。
【００４５】
本発明は、前記のようなアクチベーター溶液の凍結乾燥調製物も含む。
【００４６】
本発明の第二の面によると、
体液の試料を、ある量の前記のようなアクチベーター試薬と反応させること、
必要であれば、１個以上の凝固促進剤の添加により凝固を誘導すること、及び
凝固能の指標となる値を確立することにより、体液の血液凝固能が判定される、血液学的アッセイが提供される。
【００４７】
通常、アクチベーター試薬の媒体としては水性緩衝溶液が利用されるが、緩衝剤の使用は必ずしも必要ではない。
【００４８】
記載される好ましいアッセイは、既定量、例えば重量又は容量の血液又は血漿の試料に対して実施されるが、本発明は、正確な量を必ずしも必要としないポイントオブケア系にも適用可能である。そのようなポイントオブケア系の一例は、Roche Diagnostics（Mannheim）より入手可能なCoaguChek（登録商標）系である。
【００４９】
必要とされる値は、例えば光学的もしくは機械的な凝固計を使用して、又は検出可能な値を提供する分析補助剤の、処理された試料への添加により、既定量の該試料が（直接的又は間接的に）検出される凝血の開始に達するまでの時間を測定すること、及び適切な活性を検出することにより確立されうる。分析試薬は、トロンビン活性又はＸａ因子活性の測定に特異的な合成基質でありうる。色素原性基質が、比較的よく知られており、一般的には好ましいが、蛍光原性、電流原性、又は発光性を有する基質も利用されうる。
【００５０】
必要とされる値は、凝固中に機械的、磁気的、又は電気的な挙動を示す粒子を反応系へ添加すること、及び適切な挙動を検出することによっても確立されうる。
【００５１】
通常、既定量の試料を用いて得られた値は、凝固能を判定するため、１個以上の標準又は参照試料の値と比較される。参照試料は、正常体液、例えば血液もしくは血漿の比較可能な試料であってもよいし、又は血液もしくは血漿を含む試料であってもよい。
【００５２】
アッセイは、凝固能を１個以上の標準の凝固能と比較することによる、既定量のヒト又は動物の血液又は血漿を含む体液の試料の中の血液凝固成分又は処置添加剤の決定のため使用されうる。凝固能は、正常体液の比較可能な試料の凝固能、及び／又は該成分（もしくは添加剤）を欠いているか、もしくは既知の過剰量の該成分（もしくは添加剤）を含有している体液の比較可能な試料の凝固能と比較されうる。
【００５３】
好ましいアッセイにおいて、値は、
（ｉ）添加から凝血の開始までの時間、
（ii）添加から遊離トロンビン活性の検出までの時間、
（iii）トロンビン活性、
（iv）Ｘａ因子活性：のうちの一つを検出することにより確立される。
【００５４】
好ましくは、アクチベーター試薬は、既定量の天然もしくは合成のリン脂質又は血小板を含み、かつ方法は、既定量のカルシウムイオン（又は、機能的に等価なイオン）を含む凝固促進剤の反応系への添加を含む。
【００５５】
凝固促進剤としてはカルシウムイオンを利用することが好ましい。リン脂質、好ましくは既定量のリン脂質が、通常、初期の段階で、例えばアクチベーター試薬の中に、及び／又はインキュベーション工程の前に添加されるが、本発明は、促進剤としてのリン脂質の可能性のある利用を含み、そのような場合には、カルシウムイオンはアクチベーター試薬と共に添加されうる。
【００５６】
アッセイは、好ましくは、ヒト血漿に対して実施されるが、ヒト全血（又は動物の血液もしくは血漿）にも適用可能である。好ましくはヒト起源の、カルシウムが結合している血漿又は全血を利用した好ましいアッセイにおいては、カルシウムイオン又はその他の凝固促進剤の添加によって凝固を開始させるまで、プロトロンビナーゼ複合体は形成されない。プロトロンビナーゼ複合体の確立又は集合の前には、本発明のアッセイにおいて添加されたＸａ因子は、存在している、Ｘａ因子に対して有効な抗凝固剤によって進行的に不活化されると考えられる。プロトロンビナーゼ複合体が確立された際、Ｘａ因子はさらなる不活化から保護され、最終的な活性が安定的に決定されうる。
【００５７】
本発明のアッセイは、抗凝固剤、特にＸａ因子及び／又はトロンビン（ＩＩａ因子）の天然又は合成の阻害剤、特に未分画ヘパリン（ＵＦＨ）、低分子量ヘパリン（ＬＭＷＨ）、デルマタン硫酸、アルガトロバン、修飾型ヒルジン、及びヒルジンの投与量の、患者の血液凝固に対する効果のモニタリングに特に有用である。それは、１個以上の血液凝固成分に対する抗体の投与量の、患者の血液凝固に対する効果のモニタリング、又は抗凝固性もしくは凝固性の酵素もしくはプロ酵素でありうる凝固因子のような１個以上の血液凝固成分の欠損もしくは過多が推測される患者の血液凝固能の判定に使用されうる。
【００５８】
それは、１個以上の血液凝固成分に対する抗体、例えばループス性抗凝固因子の存在が推測される全血又は血漿の血液凝固能を判定するために利用されうる。
【００５９】
内因性Ｖ因子を活性化する酵素の起源としては、Ｖ因子活性化成分を含有し、かつＸ因子活性化成分は枯渇しているヘビ毒を利用することが好ましい。好ましい起源は、精製されたラッセルクサリヘビ毒に由来するＶ因子アクチベーター（ＲＶＶ−Ｖ）である。これは、例えばTokunaga et al.,The Factor V-activating Enzyme(RVV-V)from Russell's Viper Verom,Journal of Biological Chemistry,第263巻,1988,17471-17481頁に記載されており、Pentapharm AG（Basel）より商業的に入手可能である。その他の可能な毒（Ｘ因子活性化成分を枯渇させるため適当に精製される）には、ビペラレベチナ（Vipera lebetina）、ボスロップス（Bothrops）種、アクギストロドン（Akgistrodon）種、及びエチス（Echis）種のものが含まれる。
【００６０】
好ましい方法は、
体液の試料をある量のアクチベーター試薬と混合する工程、
混合物をインキュベートする工程、
促進剤（及び、場合により、分析補助剤）を添加する工程、及び
凝固能の指標となる値を確立する工程を含む。
【００６１】
特に、好ましいアッセイは、
ｉ．１０〜２００mMのトリス／ＨＣｌと、０．６〜１．２％w／vのＮａＣｌと、０．０１〜１．０％w／vのアルブミンとを含有する水性緩衝溶液中の、０．０１〜１０nkat／mlの既定量のＸａ因子と、０．０５〜１０（好ましくは、５）U／mlの既定量のＲＶＶ−Ｖと、（場合により）１〜２００μg／mlの既定量のリン脂質とを含有するアクチベーター試薬を調製する工程、
ii．１〜１００μlの既定量のクエン酸塩加（citrated）の（又はＣａ−結合）血小板欠乏血漿を、１〜１００μlの既定量のアクチベーター試薬と混合する工程、
iii．混合物をインキュベートする工程、
iv．１０〜１００μlの既定量の２〜２００（好ましくは、１００）mMのＣａＣｌ2を添加する工程、
ｖ．場合により、検出可能な値を提供する分析補助剤を添加する工程、及び
vi．値を確立する工程を含む。
【００６２】
緩衝液は、好ましくは、pH６〜１０、好ましくは６〜９、より好ましくは７〜８、最も好ましくは７．４である。
【００６３】
より好ましくは、方法は、
ｉ．５０mMのトリス／ＨＣｌと、０．９％w／vのＮａＣｌと、０．５％w／vのアルブミンとを含有するpH７．４の水性緩衝溶液中の、０．４nkat／mlのＸａ因子と、４U／mlのＲＶＶ−Ｖと、５０μg／mlのウサギ脳セファリン由来リン脂質とを含有するアクチベーター試薬を調製する工程、
ii．クエン酸塩加の血小板欠乏血漿５０μlをアクチベーター試薬５０μlと混合する工程、
iii．混合物を３７℃で３分間インキュベートする工程、
iv．２５mMのＣａＣｌ2  ５０μlを添加する工程、及び
ｖ．場合により、検出可能な値を提供する分析補助剤を添加する工程、及び
vi．値を確立する工程を含む。
【００６４】
通常はインキュベーション工程が使用されるが、高濃度のヘパリン及び類似の抗凝固剤を判定するために有用な前記のアッセイの修飾においては、アッセイは、インキュベーションの非存在下で実施されうる。この種の好ましいアッセイは、
ｉ．２５mMのトリス／ＨＣｌと、０．４５％w／vのＮａＣｌと、０．２５％w／vのアルブミンと、１２．５mMのＣａＣｌ2とを含有するpH７．４の水性緩衝溶液中の、０．２nkat／mlのＸａ因子と、２U／mlのＲＶＶ−Ｖと、２５μg／mlのウサギ脳セファリン由来リン脂質とを含有するアクチベーター試薬を調製する工程、
ii．クエン酸塩加の血小板欠乏血漿５０μlを、アクチベーター試薬１００μlと混合する工程、
iii．場合により、検出可能な値を提供する分析補助剤を添加する工程、
iv．値を確立する工程を含む。
【００６５】
好ましくは、該値は、光学的凝固計を使用して、ＣａＣｌ2の添加から凝血の開始までの時間を測定することにより確立される。
【００６６】
血漿試料中の推測された凝固性又は抗凝固性の成分の存在及び／又は濃度を判定するために利用されるアッセイにおいては、試料が、推測された凝固剤又は抗凝固剤のみが枯渇している血漿に希釈され、確立された値が、枯渇血漿及び／又は正常血漿で見出された値と比較されうる。
【００６７】
血漿試料は、マトリックス効果の影響を減少させるため、もしくは血漿凝固因子の依存性を最小限に抑えるため、正常血漿、血漿画分、もしくは１個以上の単一凝固因子により予備希釈されてもよいし、又は非ヘパリン抗凝固剤に対する特異性を増強するため、ヘパリンもしくはヘパリン様物質を不活化する物質で処理されてもよい。アッセイは、１個以上の凝固因子を活性化又は不活化する物質で処理された血漿試料に対しても実施されうる。
【００６８】
本発明は、
（ｉ）前記のようなアクチベーター試薬もしくは分離したその成分、
（ii）対照及び／もしくは較正のための試料、並びに
（iii）指定の濃度のカルシウム塩（もしくは等価な塩）の水性溶液、分析補助剤、正常血漿、１個以上の血漿画分、１個以上の凝固因子、水、及び／もしくは１個以上の緩衝溶液より選択される１個以上の場合により使用される補助剤、を組み合わせて含む、血液凝固アッセイにおいて使用するためのキットを含む。キットは、記載されたようなアッセイを実施するための説明書を含むであろう。等価な乾燥調製物、例えば凍結乾燥調製物も、使用されうる。
【００６９】
分析補助剤は、トロンビン及び／又はＸａ因子の決定のための合成基質の、１個以上の溶液、又は乾燥調製物、例えば凍結乾燥調製物を含みうる。
【００７０】
以下、添付の図面を参照しつつ、本発明の好ましい実施態様を説明する。
【００７１】
発明の好ましい実施態様
本発明に係るアッセイとの比較のため、図２は、ヒト正常参照血漿における、一般的な抗凝固剤ＬＭＷＨ、ＵＦＨ、及び組換えヒルジン（ｒ−ヒルジン）を用いたHeptest（登録商標）の用量応答関係を示している。この図は、これらの直接的なトロンビン阻害剤、この場合ヒルジンに関するHeptest（登録商標）の比較的乏しい応答性を証明している。
【００７２】
図３は、４０５nmにおけるBehring Coagulation System（ＢＣＳ）微量凝固計（microcoagulometer）におけるHeptest（登録商標）アッセイの光学シグナルを示している。組み合わせ試料（Heptest（登録商標）パッケージの推奨に従い調製されたクエン酸塩加血漿）の基線は、安定していない。吸光度の減少は、血餅形成の開始点の正確な検出を可能にしない。反応曲線全体が、精度に対して負の影響を及ぼしうるノイズを示しており、このことは、現代の自動化凝固計を終点検出に使用する場合には不利である。
【００７３】
本発明に係る好ましいアッセイは、通常、凝血の開始点を開始させるためカルシウムイオンを使用すると共に、予定された濃度の２個、好ましくは３個の活性化剤を使用することに基づく凝血法を使用して、試料の凝固能の判定を許容する。この方法は、Ｙｉｎアッセイ及びHeptest（登録商標）アッセイと同様に、プロトロンビナーゼ複合体の形成をリン脂質に依存しているが、図３を参照しつつ記載されたような乏しい光学シグナルを含む前述の短所の多く又は大部分は克服される。この新規な方法は、妥当な濃度範囲及び臨床実務におけるＵＦＨ、ＬＭＷＨ、及びヒルジン、並びにその他のＸａ因子及び／又はトロンビンの直接的又は間接的な阻害剤に対して高感度である。さらに、それは、極めて安定な光学シグナルを提供する。
【００７４】
好ましいアッセイ実施法においては、血液又は血漿の試料（カルシウムイオンは存在しないか、又はクエン酸塩加により複合体化もしくは結合している）が、好ましくは特別に調製されたアクチベーター試薬を使用して、既定量のＸａ因子、リン脂質、及びＶ因子活性化酵素と共にインキュベートされる。インキュベーション期間後、試料／試薬混合物が、例えばＣａＣｌ2により再石灰化され、凝血の開始点までの時間（凝血時間）が観察され、記録される。図１との比較により、図４は、活性化法の概略を示している。アクチベーター試薬の成分は、大きい太字で示されている。活性化は、既定量のＸａ因子、既定量のラッセルクサリヘビ由来Ｖ因子アクチベーター（ＲＶＶ−Ｖ）を使用して活性化された患者自身のＶ因子と、リン脂質と、ＣａＣｌ2とからなるプロトロンビナーゼ複合体の確立に依存している。リン脂質表面上でのプロトロンビナーゼ複合体の集合を完成させるために、クエン酸塩加の血液又は血漿の再石灰化が利用され、凝血が開始する。
【００７５】
トロンビンが形成された際の正のフィードバック活性化によりＶａ因子を生成させるＹｉｎアッセイのような従来の方法とは対照的に、本発明の方法は、試料のＶ因子のＶａ因子への即時の完全な活性化のため、トロンビンに依存しない工程を利用する。変法において、この因子の活性の変化に依存しない試験系を作成するため、過剰のＶ因子及び／又はその他の因子を添加することができる。添加される因子は、単純に血漿又は血漿画分であってもよい。精製された、もしくは組換えの因子、又は適当な突然変異が使用されうる。
【００７６】
実施例１
活性化試薬の調製
以下の組成を有するアクチベーター試薬を調製した。
ＮａＣｌ水性溶液  ０．９％w／v
トリス／ＨＣｌ緩衝液（pH７．４）1  ５０mM
アルブミン2  ０．５％w／v
Ｘａ因子（ＦＸａ）3  ０．４nkat／ml
ラッセルクサリヘビ毒Ｖ因子アクチベーター（ＲＶＶ−Ｖ）4  ４U／ml
リン脂質5  ５０μg／ml
【００７７】
アッセイの手順
クエン酸塩加の血小板欠乏血漿５０μlを、アクチベーター試薬５０μl、並びに様々な量の抗凝血剤ＬＭＷＨ6、ＵＦＨ7、及びｒ−ヒルジン8と混合して試験試料を形成させた。試料を３７℃で１８０秒間インキュベートした。次いで、２５mMのＣａＣｌ2溶液５０μlを各試料に添加し、凝血までの時間をＢＣＳ（Dade-Behring）光学的凝固計で測定した。抗凝固剤濃度に関する結果を図５に示す。
【００７８】
図５の図２との比較は、Heptest（登録商標）と比較した場合の感度の大きな改良（ほぼ２倍）を示している。Heptest（登録商標）とは対照的に、本発明のアッセイは、ヒルジンに対しても極めて高感度である。
【００７９】
アッセイに関する光学シグナルが図６に示されている。図３との比較により、約４０５nmにおいて極めて安定な基線がBehring Coagulation Systemにおいて示されており、凝血開始時の濁度の著しい増加が存在する。シグナルは、極めて決定的であり、低いノイズレベルを示している。従って、アッセイは、凝血の発生を光学的又は機械的に検出する異なる装置に容易に適合化されうると予想されうる。
【００８０】
１  Sigma（Munich）製
２  Centeon（Marburg）製のヒト血清アルブミン
３  Chromogenix（Essen）より供給されたＦＸａ
４  Pentapharm AG（Basel）製
５  Pentapharm AG（Basel）製のウサギ脳セファリン
６  Chromogenix（Essen）製のＷＨＯ標準ＬＭＷＨ
７  B.Braun-Melsungen（Melsungen）製の未分画ヘパリン
８  組換えヒルジン（Hoechst Marrion Roussel（Bad Soden）製のLepirudin（登録商標））
【００８１】
参照血漿は、Immuno（Vienna）より入手し、指示通り再生させた。
【００８２】
実施例２
Ｘａ因子濃度の変動
予想外にも、添加されるＸａ因子濃度を変動させることにより、活性化法の感度が広い範囲にわたり調整されうることが見出された。
【００８３】
手順
０．１〜１．６nkat／mlの異なる濃度のＸａ因子（ＦＸａ）を含む活性化試薬を調製し、０、０．５、及び１U／mlのＬＭＷＨを用いて試験試料を調製したこと以外は、実施例１の手順に従った。結果を図７に示す。予想外にも、低濃度のＸａ因子ですら良好なシグナルが得られ、ヘパリン処理された試料ですら安定な基線が達成された。
【００８４】
この発見は、広いスペクトルの未知の抗凝固剤濃度のためのアッセイの設計を可能にし、以下の用途を含む多様な異なる用途が可能である。
ａ）トロンビンに関する検出可能なシグナルを与える基質（例えば、色素原性基質）を使用したトロンビン活性の判定によるＸａ因子及びトロンビンの不活化に関するアッセイ。
ｂ）添加された活性化されたプロテインＣ、又は適切な酵素（例えば、Protac（登録商標）又はトロンビン／トロンボモジュリン）を使用して活性化された内因性プロテインＣによるＶ因子不活化に関するアッセイ。
ｃ）アクチベーター、阻害剤、又はＸａ因子又はトロンビンによる検出可能なシグナルを与える基質のようなその他の未知体のアッセイ。
【００８５】
実施例３
インキュベーション期間の変動
インキュベーション工程を省いた活性化手順の実施は、特に未分画ヘパリンに関して、高い抗凝固剤濃度の判定において有用な、極めて拡大された測定域をもたらすことも見出された。
【００８６】
活性化試薬の調製
実施例１のアクチベーター試薬を、等量の０．０２５Ｍ塩化カルシウム溶液で希釈し、以下の組成を有する試薬を作製した。
ＮａＣｌ水性溶液  ０．４５％w／v
トリス／ＨＣｌ緩衝液  ２５mM（pH７．４）
アルブミン  ０．２５％w／v
Ｘａ因子（ＦＸａ）  ０．２nkat／ml
ラッセルクサリヘビ毒Ｖ因子アクチベーター（ＲＶＶ−Ｖ）  ２U／ml
リン脂質  ２５μg／ml
ＣａＣｌ2  １２．５mM
【００８７】
手順
変動する量のＬＭＷＨ、ＵＦＨ、及びｒ−ヒルジンを含有するクエン酸塩加の血小板欠乏血漿の試験試料５０μlを、アクチベーター試薬１００μlと混合し、凝血開始までの時間を実施例１と同様にして測定した。図８に示された結果は、ＵＦＨに関して特に良好な結果を有する広い測定域を証明している。
【００８８】
実施例４
経口抗凝固剤処置中の患者
付加的な、例えば経口抗凝固剤による処置後、減少した因子活性を有する患者由来の試料の分析は、新規アッセイにおいて、Heptest（登録商標）アッセイよりもはるかに低い因子欠損及び抗凝固剤の添加作用を示した。これは、新規手法における強い直接的なＶ因子活性化が、減少した因子活性のためトロンビン形成が遅滞した場合の、トロンビンにより媒介されるＶ因子活性化の可能性のある遅延を最小限に抑えるためかもしれない。従って、そのような状況においては、新規アッセイを使用することにより、抗凝固剤濃度が、より信頼性高く判定されうる。
【００８９】
この実施例においては、国際標準化比率（International Normalised Ratio）（ＩＮＲ）３，２の経口抗凝固剤で処置された患者の血液から、試料を調製した。現在使用されている経口抗凝固剤は、ワルファリンのようなクマリン誘導体である。これらは、ビタミンＫ依存性凝固因子のガンマ−カルボキシル化におけるビタミンＫの競合的阻害剤であり、主に、カルシウム結合能を欠く各カルボキシタンパク質が形成される。これらの因子の活性は減少している。
【００９０】
試料は、添加量０、０．２５、及び０．５ａＸａ  ＵのＬＭＷＨを含有していた。これらの試料をHeptest（登録商標）及び実施例１の手順に供した。結果を、図９にグラフで示す。経口抗凝固剤処置は、本発明のアッセイにおいてはＬＭＷＨ活性に関する結果に対してほとんど又は全く影響を及ぼさないが、Heptest（登録商標）においては著しい差が現れた。
【００９１】
実施例５
色素原性基質の使用
以下の手順が使用されうる。
【００９２】
ＬＭＷＨ、ＵＦＨ、及びｒ−ヒルジンを含有するクエン酸塩加の新鮮凍結血漿（実施例１）５０μlをアクチベーター試薬（実施例１）８７．４μlと共に３７℃で５分間インキュベートした。次いで、
０．９％w／vのＮａＣｌ中５０mMのトリス／ＨＣｌ緩衝液（pH７．４）  ５６２．５μl
０．９％w／vのＮａＣｌ中１０mg／mlのPefabloc（ｒ）  １００μl
２５mMのＣａＣｌ2  １００μl
水中４mMのトロンビン用の色素原性基質1  １００μl
（１  例えば、Pentapharm AG.製のＴｏｓ−Ｇｌｙ−Ｐｒｏ−Ａｒｇ−ｐＮａＡｃＯＨ）
を含有する促進溶液を添加した。溶液を混合し、３７℃で５分間のインキュベーションの後、４０５nmで光学密度の変化を測定した。
【００９３】
実施例６
本発明のアッセイの抗Ｘａ因子アッセイとの比較
本発明のアッセイを、色素原性基質を使用した抗Ｘａ因子活性アッセイと比較した。ＬＭＷＨ処置下の有志者より採取された試料３０個を、実施例１の手順に従いアッセイし、そしてChromogenix（Moelndal, Sweden）製の「抗Ｘａ因子活性アッセイ」を使用して製造業者の指示に従いアッセイした。図１０にプロットされたような結果は、良好な相関を証明している。
【００９４】
乾燥試薬の使用
以下の実施例は、本発明のアクチベーター試薬を、凍結乾燥又は空気乾燥の後、個々の試料において再生させることができ、それをポイントオブケア適用に適した極めて少ない量で試験することができることを示す。
【００９５】
実施例７
アクチベーター試薬の調製
以下の組成を有するアクチベーター試薬を調製した。
ＮａＣｌ水性溶液  ０．９％w／v
トリス／ＨＣｌ緩衝液（pH７．４）1  ５０mM
グリシン2  １．０％w／v
Ｘａ因子（ＦＸａ）3  ０．４nkat／ml
ラッセルクサリヘビ毒Ｖ因子アクチベーター（ＲＶＶ−Ｖ）4  ４U／ml
リン脂質5  ５０μg／ml
１mlをバイアルに充填し、凍結乾燥させるか、又はアクチベーター試薬５０μlをＫＣ４  Micro Coagulometer用のキュベットに添加し、２４ｈ空気乾燥させた。
【００９６】
アッセイの手順
クエン酸塩加の血小板欠乏血漿を、凍結乾燥後に水で再生させたアクチベーター試薬５０μl、並びに様々な量の抗凝血剤ＬＭＷＨ6、ＵＦＨ7、及びｒ−ヒルジン8と混合して試験試料を形成させた。比較のため、キュベット中で空気乾燥させた試薬に水５０μlを添加し、試料を血小板欠乏血漿５０μl、並びに様々な量の抗凝血剤ＬＭＷＨ、ＵＦＨ、及びｒ−ヒルジンと混合して試験試料を形成させた。試料を３７℃で１８０秒間インキュベートした。次いで、２５mMのＣａＣｌ2溶液５０μlを各試料に添加し、凝血までの時間をＫＣ４  Micro Coagulometerで測定した。抗凝固剤に関して図１１ａ〜１１ｃに示された結果は、異なる様式で乾燥させた試薬を用いてアッセイが容易に実施されうること、及び異なる乾燥法間にアッセイ性能のわずかな差が見られることを証明している。
【００９７】
１  Sigma（Buchs、Switzerland）製
２  Sigma（Buchs、Switzerland）製
３  ＦＸａ、ＩＬ（Milano, Italy）
４  Pentapharm AG（Basel, Switzerland）製のＲＶＶ−Ｖ
５  ウサギ脳セファリン、Pentapharm Ltd（Basel, Switzerland）
６  ＷＨＯ標準ＬＭＷＨ、ＮＩＢＳＣ（Potters Bar、ＵＫ）
７  ＷＨＯ標準ＵＨ、ＮＩＢＳＣ（Potters Bar、ＵＫ）
８  組換えヒルジン、Pentapharm Ltd（Basel, Switzerland）
【００９８】
参照血漿は、Immuno（Vienna）より入手し、指示通り再生させた。
【００９９】
ポイントオブケア適用
多くの状況において、血液凝固試験は、試料を救急検査室へと輸送することなく、ケアの時点で直接実施されなければならない。ポイントオブケア分析の利点には、
試料の輸送に必要な時間が存在しないか、又は極わずかであるため、所要時間が短いこと（これは、迅速なモニタリングに基づく治療決定を可能にしうる）、
試料の救急検査室への輸送は、夜間、及び極少数の試料を分析する場合には特に、極めて高コストでありうること、
患者による自己試験が可能であること、
が含まれる。
【０１００】
抗凝固の分析のための利用可能なポイントオブケア法には、ＰＴ（プロトロンビン時間）、ａＰＰＴ（活性化部分プロトロンビン時間）、ＡＣＴ（活性凝血時間）、及び関連した方法が含まれ、ヘパリン試験のためのいくつかの新規な手法も含まれる。
【０１０１】
ポイントオブケアａＰＰＴ試験は、ＵＦＨ及びヒルジンに関する非直線的な用量応答、ＬＭＷＨに対する低い感度、並びに異なる利用可能な方法間での高い可変性といった、検査室におけるａＰＰＴの決定と同様の限界を有する。ＰＴ試験も、類似の欠点を有する。
【０１０２】
ＡＣＴは、基本的には、高度の負の電荷を有する表面を有する物質（通常、カオリン又はセライト）の、抗凝固剤で処理されていない血液への添加による。ＡＣＴの欠点には、低い精度、ＡＣＴ値の、未分画ヘパリン又はヒルジンの濃度との低い相関、長い測定時間、並びに商業的に入手可能な異なる方法間の高い可変性が含まれる。さらに、ＬＭＷＨに対するＡＣＴの感度は極めて低い。
【０１０３】
もう一つの手法は、ＡＣＴに基づくプロタミン滴定である。プロタミン硫酸は、未分画ヘパリンに拮抗する。１Uの未分画ヘパリンが、１Uのプロタミン硫酸により拮抗される。過剰に与えられた場合、プロタミンは単独で濃度依存的にＡＣＴを延長させる。従って、濃度を増加させながらプロタミンをＡＣＴ決定に添加し、ヘパリン処理された試料を分析した場合、添加されたプロタミンの濃度が試料中のヘパリン濃度と最もよく一致した場合に、最も短い凝血時間が達成される。
【０１０４】
Medtronic（Bull,M.H.et al Anesthesiology 1975,9月, 43(3), 346-353）のプロタミン滴定アッセイにおいては、ＡＣＴアクチベーター及び異なるプロタミン濃度を含有する６個のチャンバーを有するカートリッジが準備される。これらのチャンバーにおいて、別々のＡＣＴ決定が実施され、ヘパリン濃度が計算される。
【０１０５】
この方法の限界には、
ＵＦＨモニタリングにしか適用可能でないこと（アッセイはＡＣＴに基づいているためヒルジンはプロタミンにより拮抗されず、ＬＭＷＨモニタリングには適用不可）
１個の試料の分析に複数の決定が必要であり、異なる濃度範囲のヘパリン療法のモニタリングにはいくつかの異なるカートリッジが必要であること
が含まれる。
【０１０６】
多数の出版物が、血液又はその他の体液のような試料材料が、調節された様式で通過し、既定量の試薬を含有しうる調節された容積のチャンバーを充填するような、毛管により隔離された反応チャンバーを利用したポイントオブケア試験装置を記載している。この様式においては、試料材料の正確な測定が回避されうる（例えば、米国特許第４，７５６，８８４号、第５，３００，７７９号（Biotrack)、第５，１１０，７２７号（Cardiovascular）。
【０１０７】
既に言及されたCoaguChek（登録商標）装置の使用を包含しているかなりの文献が、Roche Diagnostics GmbHのウェブサイトより利用可能である。van den Besselaar A.M.H.P.,et al.,Multienter evaluation of a new capillary bllod prothrombin time monitoring system Blood Coagulation and Fibrolysis 1995,6,726-732に記載されているように、その装置は、米国特許第５，１１０，７２７号の図１１に類似した試験担体を使用する。ＰＴアッセイにおける使用のため、担体（Oberhardt B.J.et al.,Dry reagent technology for rapid convenient measurements of blood coagulation and fibrinolysis,Clin.Chem.1991,37,520-526により記載されている）は、毛管を介して開放入口チャンバー（又は「試料適用ゾーン」）と接続された反応チャンバー（又は「反応ゾーン」）に、乾燥ウサギ脳トロンボプラスチンと混合された酸化鉄粒子を含有する。穿刺された指からの血液試料が、入口チャンバーに適用され、血液が毛管力により反応チャンバーへと誘引される。次いで、トロンボプラスチンとの接触が、凝固カスケードを誘発する。酸化鉄粒子は、磁石により垂直に整列させられており、そのうちの一つがパルシングを引き起こす。光電セルが、減少し、最終的にはフィブリンマトリックスの形成時に停止するパルシングパターンを登録する。市販されている類似の装置には、Cardiovascular Diagnostics Inc.のＴＡＳ（登録商標）（Thrombolytic Assessment System）分析機、Biotrack Inc.のCoumatrak（登録商標）装置、及びOrganon Teknika Inc.のCoag-A-Mate（登録商標）装置が含まれる。
【０１０８】
結論として、ケアの点でのＵＦＨ、ＬＭＷＨ、及びヒルジンの分析のための単純で普遍的なモニタリングアッセイは存在しない。
【０１０９】
本発明者らは、例えばＦＸａとＲＶＶ−ＶのようなＦＶを活性化する酵素との組み合わせを用いて、本発明の方法に従い凝固を活性化することにより、抗凝固剤のポイントオブケア分析のための改良されたアッセイが設計されうることを見出した。これらのアッセイは、遠心分離工程を必要としないため、全血に対して直接実施されうる。
【０１１０】
従って、本発明は、前記のようなアクチベーター試薬の試料が試験装置内の１個以上の反応位置に設置され、アッセイすべき体液の試料（例えば、全血又はクエン酸塩加血液）が該装置内の入口位置（例えば、開放チャンバー）に適用され、例えば毛管を介して、アクチベーター試薬と接触し反応するよう配置され、そして体液の凝固能の指標となる値が確立されるポイントオブケア血液学的アッセイを含む。
【０１１１】
好ましくは、アクチベーター試薬は、乾燥（好ましくは、凍結乾燥）状態で存在し、該体液に溶解させられて水性溶液を形成する。
【０１１２】
好ましくは、該反応位置は、予定された容積の反応チャンバーにより画定され、アクチベーター試薬の試料は、体液と共に予定された濃度の水性溶液を形成するよう予定された重量を有する。
【０１１３】
該試験装置は、該体液が、各チャンバー内で連続的に試薬と反応するよう配置されるように、例えば毛管により相互接続された２個以上の反応チャンバーを含みうる。従って、該体液は、第一反応チャンバーにおいてＦＸａ及びＲＶＶ−Ｖと反応し、第二反応チャンバーにおいてＣａＣｌ2（又は等価な塩）と反応しうる。
【０１１４】
試薬は、好ましくは、凍結乾燥によりin situで乾燥させられる。しかしながら、室温空気乾燥、真空乾燥、乾燥剤乾燥、対流乾燥、又はその他の乾燥法も使用されうる。チャンバー壁への乾燥試薬のコーティングは、振とうによる置換（displacement）を減少させるが、必須ではない。乾燥又は水性の試薬は、スポンジ又はフリース材料のようなマトリックス上に位置していてもよいし、又はマイクロカプセルに封入されていてもよい。アクチベーター試薬の２つの必須成分は、好ましくは共存しているが、試料が連続的に通過する別々のチャンバーに等価な様式で設置されてもよい。
【０１１５】
以下の実施例は、毛管試験装置の概略を示している図１２及び１３に対応する。そのような装置を製造する方法に関しては、前述の米国特許第４，７５６，８８４号、第５，１１０，７２７号、及び第５，３００，７７９号、例えば第５，３００，７７９号の図２ａを参照することができる。
【０１１６】
実施例８  未処理全血
抗凝固剤で処理されていない新鮮に採取された全血試料を、図１２に示される毛管試験装置の入口チャンバー１に置いた。十分な血液を毛管力により毛管３に沿って試薬チャンバー２へと誘引し、チャンバーを充填した。試料の正確な分配を必要とすることなく、試薬と接触する血液の量は、試薬チャンバーのサイズにより標準化された。チャンバー２は、乾燥状態、好ましくは凍結乾燥状態のＦＸａ及びＲＶＶ−Ｖを含む活性化試薬でコーティングされていた。ここで、血液試料が試薬を溶解させ、活性化された。凝血時間は、場合により、色素原性基質、蛍光原性基質、電流原性基質、及び常磁性粒子のような補助剤を活性化試薬に添加することにより、チャンバー２の部位で、又は出口毛管４上の位置で光学的手段により検出され得た。添加するＦＸａ濃度を変動させることにより、感度及び測定域が必要に応じて設定され得た。
【０１１７】
試料の凝血をもたらす反応は、アンチトロンビン単独、アンチトロンビン−ＵＦＨ、又はアンチトロンビン−ＬＭＷＨ複合体による添加されたＦＸａの阻害、添加されたＲＶＶ−ＶによるＦＶの活性化、内因性リン脂質構造（特に、血小板表面）におけるプロトロンビナーゼ複合体の形成、及び遊離トロンビンの形成を含む。これらの反応は液体状態で起こるが、試薬は液状又は乾燥状態で試薬チャンバーに設置されうる。試薬が乾燥状態でチャンバーに設置される場合、試薬は試料により溶解させられる。これは、凍結乾燥又はその他の乾燥法の前に試薬に物質を添加することにより助長されうる。乾燥試薬の使用の主な利点は、液体試薬と比較した場合の、カートリッジのより長期的な安定性であり得る。しかしながら、液体試薬が使用される場合には、試薬を適切なpHへと緩衝することにより安定性が最適化されうる。試料を添加する場合、試料の緩衝能は、試薬を最適な７．４付近のpHに戻す。試薬のために低い緩衝能、例えば２mMを使用することにより、試料自体の緩衝能が反応のためのpHを容易に修正しうる。
【０１１８】
実施例９：クエン酸塩加血液試料  １段階反応
ＦＸａとＲＶＶ−ＶとＣａＣｌ2との組み合わせを、好ましくは乾燥状態、例えば凍結乾燥状態で図１２の試薬チャンバー２に設置し、クエン酸塩加血液の試料を入口チャンバー１へと挿入した。試料は、毛管３に沿ってチャンバー２に入った後、ＦＸａ及びＲＶＶ−Ｖと接触し、それらを溶解させると同時に再石灰化された。凝血が実施例８と同様にして検出され得た。アッセイの感度を減少させるため、従って測定域を増強するためには、試薬混合物にリン脂質を添加することが可能である。この場合、リン脂質とＦＸａとの複合体が試薬中で形成され（遊離カルシウムイオンにより媒介される）、それが試料中のアンチトロンビンの、添加されたＦＸａを阻害する能力を減少させる。これは、例えば、開心術中のヘパリン療法のモニタリングにおける適用のための、極めて多量のヘパリンのためのポイントオブケア試験の設計に適用されうる。
【０１１９】
実施例１０：クエン酸塩加血液試料  ２段階反応
クエン酸塩加血液試料を図１３の装置の入口チャンバー１ａへと移した。試料材料が毛管力の下で、毛管５に沿って、乾燥ＦＸａ及びＲＶＶ−Ｖでコーティングされたチャンバー２ａへと移動した。活性化された試料材料が毛管力により乾燥ＣａＣｌ2でコーティングされたチャンバー３へと誘引された。試薬チャンバー３において、試料はＣａＣｌ2との接触により再石灰化された。本実施例においては、より明確な容量の試料が試薬と接触するため、濃度は、比較的標準化されていた。試料のＦＸａ及びＲＶＶ−Ｖとのインキュベーション時間は、２個の試料チャンバーを接続している毛管６の長さ、及びこの毛管を通る試料／試薬混合物の速度（これは、毛管の直径に依る）に依る。遊離カルシウムイオンの非存在下でのクエン酸塩加試料のＦＸａ及びＲＶＶ−Ｖとのインキュベーションは、抗Ｘａ因子活性に対するアッセイの感度を、前記の２つの実施例より高くする。これは、ＦＸａが、リン脂質表面を含む血小板と会合している場合、アンチトロンビンによる阻害から保護されるという事実に依る。ＦＸａのリン脂質表面との会合は、遊離カルシウムイオン、及び肝臓における分子の生合成中、ビタミンＫに依存しているＦＸａ分子内のカルボキシル基により媒介される。遊離カルシウムイオンの非存在下では、ＦＸａはアンチトロンビン−ヘパリン複合体により阻害されうる。２個の試料チャンバー間の毛管６の長さ、抗Ｘａ活性に対するアッセイの感度は、必要に応じて調整されうる。
【０１２０】
改変
本発明のアクチベーター試薬及び活性化手順は、アッセイ及びその他の適用における多数の改変を生じうる。特に、手順は、記載された要素のうちの一つの未知試料をアッセイするため改変されうる。いくつかの改変を以下に例示する。
【０１２１】
１．凝固の開始の検出に関する改変
ｉ）トロンビン形成は、この目的のための既知の合成基質の添加により検出されうる。基質は、色素原性、蛍光原性、電流原性、発光性、又はその他の測定可能な特性を有しうる。基質は、例えば、トロンビンにより分解され検出可能基を放出する。
【０１２２】
ii）既知の検出法が、粘度、弾性、流動特徴、血餅共鳴、赤血球の運動、又は凝固の発生時に挙動を変化させる粒子のような添加された物体の挙動を測定するため使用されうる。例えば、添加された磁性粒子の振動、又は添加された粒子の機械的特徴が測定されうる。
【０１２３】
iii）トロンビン特異的抗体を用いた迅速な免疫学的検出法が、例えばプラズモン共鳴又は類似の技術と共に適用されうる。
【０１２４】
２．Ｘａ因子に関する改変
ウシ、ヒト、又はその他の起源の既定量のＸａ因子を試料に添加する代わりに、内因性Ｘａ因子を活性化する物質、又はＸａ因子と類似の機能を有する物質、例えばＸａ因子の変異体、ヘビ毒酵素、又は腫瘍細胞由来のＸａ因子を活性化するシステインプロテイナーゼを使用することができる。
【０１２５】
３．Ｖ因子に関する改変
ＲＶＶ−Ｖ、又はアクギストロドン（Akgistrodon）種、ボスロップス（Bothrops）種、ビペラレベチナ（Vipera lebetina）、エチス（Echis）種のようなその他のヘビ毒に由来するＶ因子アクチベーター、又は代替的な活性化物質の添加により、血漿又はその他の起源の中の内因性Ｖ因子を活性化する代わりに、ある種の適用は、既に活性化されたＶ因子、又はＶ因子と類似の機能を有する物質、例えばＶ因子の変異体を利用することができる。
【０１２６】
４．リン脂質に関する改変
ある種の適用は、他のリン脂質起源を利用することができ、例えば
ｉ）例えば血小板が存在する試料を使用することにより、患者自身のリン脂質構造の凝固への寄与を判定することができ、
ii）工程のうちの一つにおいて未知のリン脂質が添加される２段階法を使用することにより、リン脂質をアッセイすることができ、
iii）必要であれば、可能性のあるループス性抗凝固因子又は抗リン脂質抗体の妨害を最小限に抑えるため、リン脂質の濃度を調整することができる。
【０１２７】
リン脂質は、ヒト、動物、植物、もしくは合成起源のものであってもよいし、又はそれらの混合物であってもよい。
【０１２８】
５．抗凝固剤に関する改変
アッセイ手順を、ヘパリンを不活化する物質、例えばプロタミン、へパリナーゼ、又はポリブレンの添加により、Ｘ因子、ＩＩ因子、又はＶ因子のヘパリン非依存的阻害剤に対して特異的にすることができる。
【０１２９】
６．血漿に関する改変
手順は、因子欠損を修正するため、又は試験をある種のメカニズムに対してより高感度又は低感度にするために、血漿、血漿画分、又は単一因子の添加と共に実施されうる。そのような添加される物質には、例えば
ｉ）ヒト正常血漿又は血漿画分又は単一因子又は類似の変異体、
ii）ウシ（又はその他の動物の）正常血漿又は血漿画分又は単一因子又は類似の変異体
が含まれうる。
【０１３０】
７．その他の因子に関する改変
手順は、ＩＩ因子、ＩＩａ因子、Ｖ因子、Ｖａ因子、Ｘ因子、及びＸａ因子のうちのいずれか一つ又は選択された組み合わせの合成基質、アクチベーター、又は阻害剤の添加と共に実施されうる。
【０１３１】
結論
結論として、本発明は、明確な容易に利用可能な安定化が容易な成分に基づく単純な血漿凝血アッセイを含む。結果は、ＬＭＷＨ、ヒルジン、及びＵＦＨに関する直線的な用量応答関係を示している。これらの極めて良好な用量応答関係は、凝固カスケードの初期の段階に依存せず、かつ試料の凝固因子により生成したトロンビンによる、凝固の開始におけるＶ因子活性化に依存しない、抗ＩＩａ因子及び抗Ｘａ因子の活性の判定に依るものと考えられる。
【０１３２】
ヘビ毒由来のプロトロンビンアクチベーターによりプロトロンビンを活性化する技術（例えば、ヒルジン決定のためのＥＣＴ法）とは対照的に、本技術は、（Ｘａ因子、Ｖａ因子、リン脂質、及びカルシウムイオンを使用する）生理学的なプロトロンビン活性化経路を使用しており、それは、生理学的に妥当な凝固のメカニズム及び過程の判定にとって有利である。
【０１３３】
ａＰＴＴ及びＰＴの標準的な手順を使用した良好な光学シグナル、高い精度、短い測定時間、及び実施の容易さは、新規手法の異なる凝固分析機への適合化を可能にする。
【０１３４】
既に形成されたプロトロンビナーゼに基づく新規手法と、インキュベーションの前にＸａ因子のみを利用するHeptest（登録商標）との結果の比較は、２つの試験が有意な差を示すことを示している。Heptest（登録商標）は、本発明のアッセイと比較した場合、ＬＭＷＨ試料に関するより長い凝固時間を有し、ＵＦＨに関してはわずかに、ヒルジンに関しては劇的に感度が低い。Heptest（登録商標）と比較して、新規方法は、明確な生理学的基礎に基づき機能し、ウシ血漿画分を必要とせず、トロンビンと無関係にＶ因子を活性化し、改良された光学シグナルを有し、ヒルジンに対する高い感度を示す。従って、それは、妥当な濃度範囲の同一試薬により、ＵＦＨ及びＬＭＷＨのみならずヒルジンのモニタリングにも使用されうる。
【０１３５】
本発明のアッセイとは対照的に、ラッセルクサリヘビ毒時間アッセイは、毒によるＶ因子及びＸ因子の両方の活性化を利用しており、それは患者のＸ因子濃度に依る、Ｘａ因子濃度の変動をもたらす。本発明においては、明確なＸａ因子活性の適用により、より明確な活性化が達成される。
【０１３６】
最後に、本発明は、単一原理に基づきＬＭＷＨ、ヘパリノイド、ヒルジン、及びＵＦＨのモニタリングのための単純なアッセイを可能にする手法を提供する。活性化プログラムを、直接的又は間接的にＶ因子、Ｘ因子、又はＩＩ因子に影響を与える過程（例えば、プロテインＣ系）を活性化又は阻害する物質と組み合わせることにより、又は指標基質の使用により、多様なさらなる試験が可能である。
【図面の簡単な説明】
【図１】  血液凝固カスケードを示す（前記の）図である。
【図２】  Heptest（登録商標）アッセイにおけるＬＭＷＨ、ＵＦＨ、及びヒルジンに関する典型的な用量応答線を示すグラフである。
【図３】  典型的なHeptest（登録商標）アッセイにおいて生じる光学シグナル曲線を示すグラフである。
【図４】  本発明の原理を示す図である。
【図５】  本発明に係るアッセイにおけるＬＭＷＨ、ＵＦＨ、及びヒルジンに関する典型的な用量応答線を示す、図２と同様のグラフである。
【図６】  本発明に係るアッセイにおいて生じる光学シグナル曲線を示す、図３と同様のグラフである。
【図７】  付加的な量のＸａ因子を添加することにより生じる効果を示すグラフである。
【図８】  インキュベーション工程を省略することにより生じる効果を示すグラフである。
【図９】  経口抗凝固剤で処置された患者において、本発明のアッセイ及びHeptest（登録商標）を使用して得られた結果を示すグラフである。
【図１０】  ＬＭＷＨで処置された有志者に対して実施された、本発明に係るアッセイと、抗Ｘａ因子アッセイに従い実施されたアッセイとの相関を示すグラフである。
【図１１ａ】  乾燥試薬による性能を示す、図５と同様のグラフである。
【図１１ｂ】  乾燥試薬による性能を示す、図５と同様のグラフである。
【図１１ｃ】  乾燥試薬による性能を示す、図５と同様のグラフである。
【図１２】  毛管試験装置の概略図である。
【図１３】  異なる型の毛管試験装置の概略図である。
【図１】
0004762472.tif 000002
【図２】
0004762472.tif 000003
【図３】
0004762472.tif 000004
【図４】
0004762472.tif 000005
【図５】
0004762472.tif 000006
【図６】
0004762472.tif 000007
【図７】
0004762472.tif 000008
【図８】
0004762472.tif 000009
【図９】
0004762472.tif 000010
【図１０】
0004762472.tif 000011
【図１１ａ】
0004762472.tif 000012
【図１１ｂ】
0004762472.tif 000013
【図１１ｃ】
0004762472.tif 000014
【図１２】
0004762472.tif 000015
【図１３】
0004762472.tif 000016